(57)【要約】【課題】  衝撃緩衝性と反発性とに優れたスパイクシューズを提供する。【解決手段】  靴底１の踵部分に前後する形態で設けられた複数のスタッド２ｒに対応させた位置に、動歩行時又は走行時において、踵部分にかかる各スタッド２ｒからの突き上げによる衝撃を緩和するための合成樹脂製の弾性体３を配設してあるスパイクシューズＳであって、踵部分の前側に位置するスタッド２ｒｆに対応する弾性体３の硬度を、それよりも後側に位置するスタッド２ｒｒに対応する弾性体３よりも高硬度にする。【選択図】        図８
2006025990.tif 000002
【特許請求の範囲】
【請求項１】
靴底の踵部分に前後する形態で設けられた複数のスタッドに対応させた位置に、動歩行時又は走行時において、踵部分にかかる各スタッドからの突き上げによる衝撃を緩和するための合成樹脂製の弾性体を配設してあるスパイクシューズであって、
前記踵部分の前側に位置するスタッドに対応する弾性体の硬度を、それよりも後側に位置するスタッドに対応する弾性体よりも高硬度にしてあるスパイクシューズ。
【請求項２】
前記弾性体の内側縁部が、それら弾性体が対応する各スタッドの配設箇所よりも靴底の内方側に位置する状態に配設してある請求項１記載のスパイクシューズ。
【請求項３】
前記弾性体の外側縁部が、それら弾性体が対応する各スタッドの配設箇所よりも靴底の外方側に位置する状態に配設してある請求項１又は２に記載のスパイクシューズ。
【請求項４】
前記靴底の踵部分が、少なくともスタッドを備えた表底体の上側に、前記弾性体を備えた中間層体を積層させた状態で形成されている請求項１〜３のいずれか１項に記載のスパイクシューズ。
【請求項５】
前記靴底の踵部分において、前記表底体の周縁部の少なくとも一部が中間層体を包み込む形態で立ち上がった波形状に形成してあるとともに、
前記中間層体の側面に、表底体の波状周縁部と上下方向から係合する波形状の係合部が形成されている請求項４記載のスパイクシューズ。
【請求項６】
前記弾性体の外側縁部が、それら弾性体が対応する各スタッドの配設箇所よりも靴底の外方側に位置する状態で、かつ、その外側縁部の少なくとも一部が、中間層体の側面に露呈する形態で配設されているとともに、
前記表底体の波状周縁部の山形部分が、それら弾性体の露呈箇所に位置するように形成されてある請求項５記載のスパイクシューズ。
【請求項７】
前記表底体の波状周縁部の山形部分に、中間層体に配設された各弾性体を透視可能な透過性の窓が形成されている請求項６記載のスパイクシューズ。
【請求項８】
前記中間層体に備えられた弾性体に、前記表底体との間に空隙を設けるための凹部を形成してある請求項４〜７のいずれか１項に記載のスパイクシューズ。
【請求項９】
前記中間層体に上下方向に貫通する貫通孔を形成するとともに、
前記中間層体の上面に、その貫通孔を封塞する弾性蓋部材を配設して、表底体と弾性蓋部材との間の中間層体に中空部を形成する構成にしてある請求項４〜７のいずれか１項に記載のスパイクシューズ。
【請求項１０】
前記中間層体の上面における弾性体配設箇所に対応する位置に、それら弾性体を上面側から同時に押圧可能な高反発性の薄板材が配設されている請求項４〜９のいずれか１項に記載のスパイクシューズ。
【請求項１１】
前記弾性体のそれぞれを、中間層体に上下方向に貫通形成された嵌装孔に、各弾性体の一部が中間層体の上面に露呈する形態で嵌設されているとともに、
前記高反発性薄板材が、中間層体の上面に露呈している各弾性体に対して当接する複数の押圧部とそれら押圧部を連結する連結杆部とから形成されている請求項１０記載のスパイクシューズ。
【請求項１２】
前記高反発性薄板材が、それの連結杆部が前記中間層体に形成された貫通孔を交差する形態で配設されているとともに、
前記表底体の中間層体の貫通孔に対応する位置に、貫通孔を交差する高反発性薄板材の連結杆部を透視可能な透過性の窓が形成されている請求項１１記載のスパイクシューズ。
【請求項１３】
前記表底体の中間層体側の面におけるスタッド配設箇所に対応する位置に、すり鉢状の凹部が形成されている請求項４〜１２のいずれか１項に記載のスパイクシューズ。
【請求項１４】
前記靴底の踵部分に設けられたスタッドが前後２列に並ぶ構成で、前側スタッドに対応する弾性体の硬度をＡ４０〜Ａ５０とし、後側スタッドに対応する弾性体の硬度をＡ３０〜Ａ３９としてある請求項１〜１３のいずれか１項に記載のスパイクシューズ。
【発明の詳細な説明】
【技術分野】
【０００１】
本発明は、野球、サッカー、ラグビー等のフィールドスポーツにおいて、靴底の踵部分に前後する形態で設けられた複数の各スタッドに対応させた位置に、動歩行時又は走行時において、踵部分にかかる各スタッドからの突き上げによる衝撃を緩和するための合成樹脂製の弾性体を配設してあるスパイクシューズに関する。
【背景技術】
【０００２】
従来のスパイクシューズでは、それの踵部分に設けられたスタッド配設箇所に対応する位置に踵部分にかかる各スタッドからの突き上げによる衝撃を緩和するための衝撃吸収材として弾性体を配設していた（例えば、特許文献１参照。）。
そして、一般的に、これら弾性体は同一の硬度のものを使用している。
【特許文献１】実公平６−１０８１４号公報
【発明の開示】
【発明が解決しようとする課題】
【０００３】
しかしながら、野球やサッカー等のフィールドスポーツでは、動歩行時や走行時における各スタッドから踵への突き上げに対する衝撃緩衝性のみならず、瞬発力を向上させるために反発性も備えていることが望ましいが、従来のスパイクシューズは、衝撃緩衝性の高い軟質で同一硬度の弾性体を配設して、動歩行時や走行時における各スタッドから踵への突き上げに対する衝撃を緩和する構成であるため、衝撃を緩衝する反面、着用者の瞬発力を低減させていた。
この実情に鑑み、本発明の主たる課題は、スパイクシューズにおいて、合理的な改良により踵部分にかかる衝撃を緩和するだけでなく、着用者の瞬発力をも向上させる点にある。
【課題を解決するための手段】
【０００４】
本発明の第１特徴構成は、スパイクシューズに係り、その特徴は、
靴底の踵部分に前後する形態で設けられた複数のスタッドに対応させた位置に、動歩行時又は走行時において、踵部分にかかる各スタッドからの突き上げによる衝撃を緩和するための合成樹脂製の弾性体を配設してあるスパイクシューズにおいて、
前記踵部分の前側に位置するスタッドに対応する弾性体の硬度を、それよりも後側に位置するスタッドに対応する弾性体よりも高硬度にしてある点にある。
【０００５】
つまり、この構成であれば、動歩行時及び走行時における足の動きは、踵から着地して、重心を前方のつま先側に移動させて、親指で地面を蹴るローリング運動を行うことが多いため、靴底の踵部分に前後する形態で設けられた複数のスタッドに対応させた位置に弾性体を配設することで、着地時に踵部分全体にかかる各スタッドからの突き上げによる衝撃を緩和するとともに、踵部分の前側に位置するスタッドに対応する弾性体を反発性の高い高硬度（硬質）にし、踵部分の後側に位置するスタッドに対応する弾性体を衝撃緩衝性の高い低硬度（軟質）にすることで、特に着地時における衝撃の大きい踵部分の後側のスタッドからの突き上げによる衝撃を効果的に緩和することができ、更に、ローリング運動において重心が移動する際に、前側の硬質の弾性体が踵に反発力を付与するので、ローリング運動をスムーズ、かつ、俊敏に行うことができる。
【０００６】
要するに、野球やサッカー等のフィールドスポーツにおいて着用されるスパイクシューズにおいて、このように構成すれば、後側の弾性体の衝撃緩衝性により、足にかかる負担を効果的に低減することができ、これによって、足の故障や怪我を極力回避することができる。
そして、前側の弾性体の反発性により、ローリング運動をスムーズ、かつ、俊敏に行うことができ、これにより、瞬発力を必要とするフィールドスポーツに着用するスパイクシューズとして非常に有利なものにすることができる。
【０００７】
本発明の第２特徴構成は、第１特徴構成の実施において好適な構成であり、その特徴は、
前記弾性体の内側縁部が、それら弾性体が対応する各スタッドの配設箇所よりも靴底の内方側に位置する状態に配設してある点にある。
【０００８】
靴底の踵部分は、着用者の荷重により内方側部分が下方に位置する形態に湾曲するため、各スタッドからの突き上げによる衝撃は、各スタッドの内側に偏って弾性体に伝わる。
【０００９】
つまり、この構成であれば、弾性体が各スタッドの配設箇所よりも靴底の内方側に位置する状態で配置されているので、各スタッドの内側に偏る衝撃を効率よく弾性体に伝達することができ、これによって、効率的に衝撃緩衝性を向上させることができると共に、反発性も効率的に向上させることができる。
【００１０】
本発明の第３特徴構成は、第１又は第２特徴構成の実施において好適な構成であり、その特徴は、
前記弾性体の外側縁部が、それら弾性体が対応する各スタッドの配設箇所よりも靴底の外方側に位置する状態で配設してある点にある。
【００１１】
つまり、この構成であれば、各弾性体の外側縁部が各スタッドの配設箇所よりも靴底の外方側に位置する状態に配設してあるので、動歩行又は走行において着地した際、スタッドからの突き上げにより踵部分にかかる衝撃力を外方側にも分散させて外部に逃がすことができるので、衝撃による足にかかる負担を一層低減させることができる。
【００１２】
本発明の第４特徴構成は、第１〜第３特徴構成のいずれか１つの特徴構成の実施において好適な構成であり、その特徴は、
前記靴底の踵部分が、少なくともスタッドを備えた表底体の上側に、前記弾性体を備えた中間層体を積層させた状態で形成されている点にある。
【００１３】
つまり、この構成であれば、スタッドを備えた地面と接触する表底体と弾性体を備えた中間層体とが別体で形成されているので、これら表底体と中間層体とを別部材で形成することが可能で、これによって、表底体を磨耗の少ない耐久性に優れた硬質の材料で形成し、中間層体を衝撃緩衝性の高い軟質の材料で形成することができ、野球やサッカー等に使用するスパイクシューズとして、耐久性がよく、衝撃緩和に優れ、瞬発力を向上させることのできる優れたものにすることができる。
【００１４】
本発明の第５特徴構成は、第４特徴構成の実施において好適な構成であり、その特徴は、
前記靴底の踵部分において、前記表底体の周縁部の少なくとも一部が中間層体を包み込む形態で立ち上がった波形状に形成してあるとともに、
前記中間層体の側面に、表底体の波状周縁部と上下方向から係合する波形状の係合部が形成されている点にある。
【００１５】
つまり、この構成であれば、表底体の周縁部の少なくとも一部が中間層体を包み込む形態で立ち上がった形状に形成されていることで、着用した際に中間層体にかかる上方からの荷重により中間層体が型崩れして外方に広がることを抑制することができるとともに、その表底体の周縁部が波形状に形成され、中間層体の側面に形成された表底体の波状周縁部と上下方向で係合する波形状の係合部と係合するので、表底体に対して積層する中間層体の位置決め手段となり、製造工程の簡素化を図ることができる。
【００１６】
そして、中間層体の型崩れを抑制することができるので、中間層体に備えられた弾性体の衝撃緩衝性及び反発性を、各スタッドからの突き上げによる衝撃に対して確実に作用させることができる。
【００１７】
本発明の第６特徴構成は、第５特徴構成のいずれか１つの特徴構成の実施において好適な構成であり、その特徴は、
前記弾性体の外側縁部が、それら弾性体が対応する各スタッドの配設箇所よりも靴底の外方側に位置する状態で、かつ、その外側縁部の少なくとも一部が、中間層体の側面に露呈する形態で配設されているとともに、
前記表底体の波状周縁部の山形部分が、それら弾性体の露呈箇所に位置するように形成されてある点にある。
【００１８】
つまり、この構成であれば、各弾性体の外側縁部が各スタッドの配設箇所よりも靴底の外方側に位置する状態で、かつ、その外側縁部の少なくとも一部が中間層体の側面に露呈する形態で弾性体を配設してあるので、動歩行又は走行において着地した際、スタッドからの突き上げにより踵部分にかかる衝撃力を外方側にも分散させて外部に逃がすことができるので、衝撃による足にかかる負担を一層低減させることができるとともに、表底体の波状周縁部の山形部分が、それら弾性体の外側縁部の露呈箇所に位置するように形成されているので、表底体と中間層体とを積層させた状態では弾性体は、表底体の波状周縁部の山形部分によって覆われた外部に露出していない保護された形態となるので、弾性体の破損等による衝撃緩衝性及び反発力の低下を防止することができる。
【００１９】
本発明の第７特徴構成は、第６特徴構成のいずれか１つの特徴構成の実施において好適な構成であり、その特徴は、
前記表底体の波状周縁部の山形部分に、中間層体に配設された各弾性体を透視可能な透過性の窓が形成されている点にある。
【００２０】
つまり、この構成であれば、透過窓から各弾性体を透かし見ることができるので、看者（つまり、購入者、着用者、観客等）に対して弾性体の存在を示すことができるとともに、各弾性体を着色することで、デザイン性を向上させることもでき、これによって、本発明のスパイクシューズの注目度が向上する。
【００２１】
本発明の第８特徴構成は、第４〜第７特徴構成のいずれか１つの特徴構成の実施において好適な構成であり、その特徴は、
前記中間層体に備えられた弾性体に、前記表底体との間に空隙を設けるための凹部を形成してある点にある。
【００２２】
つまり、この構成であれば、凹部が、弾性体が衝撃を緩和する際に変形するためのスペースとなることで、踵部分に衝撃がかかった際に弾性体が容易に変形することができるので、その衝撃緩衝性をより効果的に発揮することができる。
【００２３】
本発明の第９特徴構成は、第４〜第８特徴構成のいずれか１つの特徴構成の実施において好適な構成であり、その特徴は、
前記中間層体に上下方向に貫通する貫通孔を形成するとともに、
前記中間層体の上面に、その貫通孔を封塞する弾性蓋部材を配設して、表底体と弾性蓋部材との間の中間層体に中空部を形成する構成にしてある点にある。
【００２４】
つまり、この構成であれば、表底体と弾性蓋部材との間の中間層体に形成される中空部がエアクッションとなって、踵部分にかかる衝撃を緩和するとともに、弾性蓋部材が有する衝撃緩衝性により、より一層の衝撃緩和の効果を得ることができる。
【００２５】
本発明の第１０特徴構成は、第４〜第９特徴構成のいずれか１つの特徴構成の実施において好適な構成であり、その特徴は、
前記中間層体の上面における弾性体配設箇所に対応する位置に、それら弾性体を上面側から同時に押圧可能な高反発性の薄板材が配設されている点にある。
【００２６】
つまり、この構成であれば、高反発性薄板材を中間層体の上面における弾性体配設箇所に対応する位置に配設し、着用するとそれら弾性体を上面側から同時に押圧可能にしてあることで、足のローリング運動において高反発性薄板材が板バネ的に作用をし、これによって、弾性体を介して高反発薄板材に伝わった衝撃力を、ローリング運動における踵部分への反発力に変換し、着用者の瞬発力を向上させることができる。
【００２７】
本発明の第１１特徴構成は、第１０特徴構成の実施において好適な構成であり、その特徴は、
前記弾性体のそれぞれを、中間層体に上下方向に貫通形成された嵌装孔に、各弾性体の一部が中間層体の上面に露呈する形態で嵌設されているとともに、
前記高反発性薄板材が、中間層体の上面に露呈している各弾性体に対して当接する複数の押圧部とそれら押圧部を連結する連結杆部とから形成されている点にある。
【００２８】
つまり、この構成であれば、高反発性薄板材の押圧部と弾性体とが当接した状態で配設されているので、各弾性体によって緩和された衝撃が高反発薄板材の押圧部に直接伝達され、そして、それら押圧部が連結杆部により一体的に連結されていることで、各弾性体が高反発性薄板材により連結された形態となり、ローリング運動における後側の弾性体に当接した押圧部に伝達された衝撃力が、連結杆部によって前側の弾性体に当接した押圧部に伝達され、これによって、前側の弾性体に生じる反発力が増大して、着用者の瞬発力を向上させることができる。
【００２９】
本発明の第１２特徴構成は、第１１特徴構成の実施において好適な構成であり、その特徴は、
前記高反発性薄板材が、それの連結杆部が前記中間層体に形成された貫通孔を交差する形態で配設されているとともに、
前記表底体の中間層体の貫通孔に対応する位置に、貫通孔を交差する高反発性薄板材の連結杆部を透視可能な透過性の窓が形成されている点にある。
【００３０】
つまり、この構成であれば、透過窓から高反発性薄板材の連結杆部を透かし見ることができるので、看者（つまり、購入者、着用者等）に対して高反発薄板材の存在を示すことができるとともに、デザイン性を向上させることもでき、これによって、本発明のスパイクシューズの注目度が向上する。
【００３１】
本発明の第１３特徴構成は、第４〜第１２特徴構成のいずれか１つの特徴構成の実施において好適な構成であり、その特徴は、
前記表底体の中間層体側の面におけるスタッド配設箇所に対応する位置に、すり鉢状の凹部が形成されている点にある。
【００３２】
つまり、この構成にすることで、スタッドから弾性体に伝わる衝撃をスタッド配設箇所に対応した部分に集中させることなく、その衝撃力をすり鉢状凹部の形状に沿って拡散させた状態で弾性体に対して平均的に伝達することができるので、弾性体の衝撃緩衝性及び反発性を効率的に作用させることができる。
【００３３】
本発明の第１４特徴構成は、第１〜第１３特徴構成のいずれか１つの特徴構成の実施において好適な構成であり、その特徴は、
前記靴底の踵部分に設けられたスタッドが前後２列に並ぶ構成で、前側スタッドに対応する弾性体の硬度をＡ４０〜Ａ５０とし、後側スタッドに対応する弾性体の硬度をＡ３０〜Ａ３９としてある点にある。
【００３４】
つまり、この構成であれば、ＪＩＳＫ６２５３規格のデュロメータタイプＡによる弾性体の硬度を、前側スタッドに対応する弾性体をＡ４０〜Ａ５０とし、後側スタッドに対応する弾性体をＡ３０〜Ａ３９とすることで、前側の弾性体は高反発性でありながらも衝撃緩衝性をも有する好適なもので、後側の弾性体は高衝撃緩衝性でありながらも反発性をも有する好適なものにすることができ、これによって、足にかかる負担を効果的に低減し、ローリング運動をスムーズ、かつ、俊敏に行うことができるフィールドスポーツに着用するスパイクシューズとして非常に有利なものにすることができる。
【発明を実施するための最良の形態】
【００３５】
〔実施形態〕
図１〜図９は、本発明の実施形態である野球用のスパイクシューズＳを示し、１Ａは多数の固定スタッド２が一体形成された表底体である熱可塑性ポリウレタン樹脂（ＴＰＵ）製のアウトソール、１Ｂはアウトソール１Ａの踵部分に形成された４つの後部スタッド２ｒのそれぞれに対応した位置に弾性体３を備えた中間層体であるエチレンビニルアセテート共重合体（ＥＶＡ）製のミッドソール、１Ｃは天然皮革や合成皮革、織布、不織布等で製作された甲革であるアッパーＵの靴底側周縁部、１Ｄはアウトソール１Ａ、ミッドソール１Ｂ及びアッパーＵの靴底側周縁部１Ｃの上に配設される中間層体であるフィラー、１Ｅはフィラー１Ｄの上に配設され、着用者の足Ｆが接触する中敷であるインナーソールであり、スパイクシューズＳの靴底１は、最下層であるアウトソール１Ａ、ミッドソール１Ｂ、アッパーＵの靴底側周縁部１Ｃ、及び、フィラー１Ｄの順で積層接着して形成され、フィラー１Ｄの上に靴底１の最上層であるインナーソール１Ｅが積層非接着の状態で配設された５層構造となっている。
【００３６】
アウトソール１Ａは、耐磨耗性及び可撓性を有する硬度Ａ９５（ＪＩＳＫ６２５３規格・デュロメータタイプＡ）のＴＰＵ材から製作され、アウトソール１Ａの下面側には、９つの前部スタッド２ｆ、７つの補助スタッド２ａ、及び、４つの後部スタッド２ｒがアウトソール１Ａと一体形成されている。
【００３７】
そして、アウトソール１Ａの上面（ミッドソール側の面）において、それら前部スタッド２ｆ及び後部スタッド２ｒそれぞれの形成箇所に、それら前部スタッド２ｆ及び後部スタッド２ｒの長手方向に延びるすり鉢状凹部４が形成されており、このすり鉢状凹部４により、固定スタッド２からの突き上げによる衝撃力をすり鉢状凹部４の形状に沿って拡散させることができる。
【００３８】
また、アウトソール１Ａの踵部分の周縁部５が、それの上側に位置するミッドソール１Ｂを包み込む形態で立ち上がった波形状に形成されていて、これによって、着用した際にミッドソール１Ｂにかかる上方からの荷重によりミッドソール１Ｂが型崩れして外方に広がることを抑制することができ、ミッドソール１Ｂの型崩れを抑制することができる。
【００３９】
そして、アウトソール１Ａの踵部分の中央位置には、上面側に突出した形態で形成された孔６ａを、アウトソール１Ａと同硬度の透過性ＴＰＵ材６ｂにより閉塞することで形成された第１透過窓６が設けられているとともに、アウトソール１Ａの踵部分の波状周縁部５の山形部分５ａのそれぞれに形成された孔７ａを、アウトソール１Ａと同硬度の透過性ＴＰＵ材７ｂにより閉塞することで形成された第２透過窓７が設けられている。
【００４０】
ミッドソール１Ｂは、アウトソール１Ａの土踏まず部分から踵部分にかけての領域に対して積層する形状で、衝撃緩衝性の高い高分子発泡体であるＥＶＡ材で成形され、ミッドソール１Ｂの側面には、アウトソール１Ａの波状周縁部５と上下方向から積層係合する波形状の係合部８が形成されている。
【００４１】
ミッドソール１Ｂにおいて、アウトソール１Ａに一体形成されている４つの後部スタッド２ｒに対応する各位置には、着地時に踵部分にかかる４つの後部スタッド２ｒからの突き上げによる衝撃を緩和する熱可塑性プラスチックゴム（ＴＰＲ）製の弾性体３を配設することができるように、ミッドソール１Ｂを貫通する嵌装孔９が形成されていて、弾性体３は嵌装孔９に対して下方から嵌合して配設されるようになっている。
【００４２】
更に、４つの嵌装孔９に囲まれた領域の中心位置には、上下方向に貫通する貫通孔１０が形成されていて、この貫通孔１０の下側周縁部分にアウトソール１Ａに形成されている第１透過窓６の上側部分が係合する形態になっている。
【００４３】
各弾性体３は、アウトソール１Ａに一体形成されている４つの後部スタッド２ｒの配設箇所に対し、上下方向で完全に覆う状態で、かつ、弾性体３の内側縁部３ａが固定スタッド２の配設箇所よりも内方側に位置し、弾性体３の外側縁部３ｂが固定スタッド２の配設箇所よりも外方側に位置するように重合しているとともに、各弾性体３は、各固定スタッド２の長手方向における長さとほぼ同一に形成されている。
【００４４】
これによって、後部スタッド２ｒからの突き上げにより踵部分にかかる衝撃力をシューズＳの外方側にも分散させて外部に逃がすことができるので、衝撃による足Ｆへの負担を一層低減させることができるとともに、着用者の荷重により靴底１の踵部分の中央部分が下方に位置する形態に湾曲した時に、各固定スタッド２の内側に偏って伝わる衝撃を、効率よく弾性体３に伝達することができ、効率的に衝撃緩衝性を向上させることができると共に、反発性も効率的に向上させることができる。
【００４５】
そして、弾性体３は、それの外側縁部３ｂの下方側部分がミッドソール１Ｂの側面と面一の状態で露呈するように形成されており、その側面側露呈部分３ｃに対して、アウトソール１Ａの波状周縁部５の山形部分５ａが位置するように構成されているので、弾性体３の側面側露呈部分３ｃがアウトソール１Ａの波状周縁部５により覆われる形態で保護されているとともに、その波状周縁部５の山形部分５ａに形成されている第２透過窓７により、ミッドソール１Ｂに嵌装された各弾性体３を目視することができる。
【００４６】
また、各弾性体３の側面側露呈部分３ｃには、アウトソール１Ａの波形周縁部５との間に空隙を設けて、衝撃を緩衝する弾性体３の変形を許可するための溝状の凹部３ｄが上下方向に４本形成されている。
【００４７】
アウトソール１Ａの４つの後部スタッド２ｒのうち、前側に位置する２つの前側スタッド２ｒｆに対応する前側弾性体３Ａを高反発性と衝撃緩衝性を備える硬度Ａ４５（ＪＩＳＫ６２５３規格・デュロメータタイプＡ）のものにするとともに、後側に位置する２つの後側スタッド２ｒｒに対応する後側弾性体３Ｂを高衝撃緩衝性と反発性を備える硬度Ａ３５（ＪＩＳＫ６２５３規格・デュロメータタイプＡ）のものにしてある。
【００４８】
このように構成することで、４つの弾性体３が着地時に踵部分全体にかかる４つの後部スタッド２ｒからの突き上げによる衝撃を緩和することができるとともに、前側弾性体３Ａを反発性の高い高硬度（硬質）にし、後側弾性体３Ｂを衝撃緩衝性の高い低硬度（軟質）にすることで、特に、図９（イ）の示す着地時における衝撃の大きい踵部分の後側スタッド２ｒｒからの突き上げによる衝撃を効果的に緩和することができ、更に、ローリング運動において重心が移動し、図９（ロ）に示す前側スタッド２ｒｆの着地時に、硬質の前側弾性体３Ａが前側スタッド２ｒｆに反発力を付与するので、ローリング運動をスムーズ、かつ、俊敏に行うことができる。
【００４９】
また、弾性体３とアウトソール１Ａとの関係において、アウトソール１Ａの上面における後部スタッド形成箇所に形成されたすり鉢状凹部４により、固定スタッド２からの突き上げによる衝撃力が弾性体３に対してすり鉢状凹部４の形状に沿って拡散させた状態で平均的に伝達されるので、弾性体３の衝撃緩衝性及び反発性をより効率的に作用させることができる。
【００５０】
ミッドソールの上面には、ミッドソール１Ｂを上下方向で貫通してある嵌装孔９により、ミッドソール１Ｂの上面側に露呈している４つの弾性体３のそれぞれに対して当接して、それら弾性体３を上面側から同時に押圧可能な高反発性のＴＰＵから製作されている薄板材であるクロスプレート１１が配設されている。
なお、ＴＰＵ製のクロスプレート１１の硬度はＡ３５（ＪＩＳＫ６２５３規格・デュロメータタイプＡ）となっている。
【００５１】
クロスプレート１１は、４つの弾性体３それぞれの上面側露呈部分３ｅに当接する押圧部１１ａとそれら４つの押圧部１１ａを連結する十字状の連結杆部１１ｂとを備えた形態に一体形成されていて、十字状の連結杆部１１ｂは、４つの嵌装孔９（すなわち、弾性体３の上面側露呈箇所、又は、押圧部１１ａの配設位置）に囲まれた領域の中心位置に形成された貫通孔１０の上で交差する形状となり、よって、アウトソール１Ａに形成された第１透過窓６から目視することできる。
【００５２】
また、連結杆部１１ｂは、ミッドソール１Ｂの貫通孔１０の周縁部に沿う形態で、交差部分が貫通孔１０内に落ち込んだ形状に形成されている。
【００５３】
そして、ミッドソール１Ｂの上面には、クロスプレート１１の連結杆部１１ｂに係合して、クロスプレート１１の配設箇所の位置決め手段となる係合溝１２が、４つの嵌装孔９それぞれの周縁から貫通孔１０の周縁に達する形態で形成されている。
【００５４】
このようにクロスプレート１１を配設することで、足Ｆのローリング運動における衝撃に対して、クロスプレート１１がそれら弾性体３を上面側から同時に押圧して板バネ的に作用をするので、弾性体３を介してクロスプレート１１に伝わった衝撃力を、ローリング運動における踵部分への反発力に変換し、着用者の瞬発力を向上させることができる。
【００５５】
更に、クロスプレート１１の上に、貫通孔１０を封塞しアウトソール１Ａとの間に中空部１３を形成するためのＥＶＡから製作された硬度Ａ６５（ＪＩＳＫ６２５３規格・デュロメータタイプＡ）の弾性蓋部材１４が配設されており、この中空部１３がエアクッションとなって、踵部分にかかる衝撃を緩和するとともに、ＥＶＡ製の弾性蓋部材１４が有する衝撃緩衝性と相俟って、より一層の衝撃緩和の効果を奏する。
【００５６】
そして、アッパーＵが、それの靴底側周縁部１Ｃの一部が弾性蓋部材１４の上面にかかる形態で積層しているとともに、アッパーＵの靴底側周縁部１Ｃ、アウトソール１Ａのつま先から土踏まずまでの部分、及び、ミッドソール１Ｂの上に、天然皮革や合成皮革、不織布等で製作されたフィラー１Ｄが積層接着されており、更に、フィラー１Ｄの上に、クッション性に優れたポリエステルやＥＶＡ材等から製作され、着用時におけるフィット感やソフト感が良好なインナーソール１Ｅが積層非接着の状態で配設されている。
【００５７】
以上、本実施形態のように構成することで、軟質の後側弾性体３Ｂの衝撃緩衝性により、着地時における衝撃の大きい踵部分の後側スタッド３ｒｒからの突き上げによる衝撃を効果的に緩和して、足Ｆにかかる負担を効果的に低減することができ、これによって、足Ｆの故障や怪我を極力回避することができる。
更に、ローリング運動において重心が移動する際に、硬質の前側弾性体３Ａが踵に反発力を付与するので、ローリング運動をスムーズ、かつ、俊敏に行うことができて、瞬発力を必要とするフィールドスポーツに着用するスパイクシューズＳとして非常に有利なものにすることができる。
【００５８】
〔別実施形態〕
上述の実施形態における弾性体３の形状は如何なる形状のものであってよい。
【００５９】
上述の実施形態では、アウトソール１Ａの周縁部を波形状に形成し、それに係合する波形状の係合部８をミッドソール１Ｂの側面に形成していたが、アウトソール１Ａの周縁部５の形状はこれに限るものではなく、また、ミッドソール１Ｂの係合部８についてもアウトソール１Ａの周縁部５の形状に合ったものであればよい。
【００６０】
また、アウトソール１Ａの周縁部５が、ミッドソール１Ｂを完全に包み込む形態でそれらを積層させる構成であってもよい。
【００６１】
更に、アウトソール１Ａの周縁部５に、弾性体３を透視可能にする第２透過窓７を形成していたが、第２透過窓７の有無は任意のものであってよい。
【００６２】
上述の実施形態では、各弾性体３の側面側露呈部分３ｃにアウトソール１Ａの波形周縁部５とのは、アウトソール１Ａの波形周縁部５との間に空隙を設けて、衝撃を緩衝する弾性体３の変形を許可するための溝状の凹部３ｄが上下方向に４本形成されているが、凹部３ｄの形状はこれに限るものではなく、また、凹部３ｄの位置もアウトソール１Ａとの間に空隙を形成することができる位置であれば、他の位置（例えば、弾性体３の下側面）であってもよい。
【００６３】
上述の実施形態では、弾性体３をミッドソール１Ｂの嵌装孔９に嵌設させていたが、弾性体３はアウトソール１Ａの側に嵌設する構成であってもよく、ミッドソール１Ｂとアウトソール１Ａとの間に配設される構成であればよい。
【００６４】
上述の実施形態では、弾性体３を上面側から同時に押圧する高反発性薄板材を設けたが、高反発性薄板材を設けない構成にしてもよい。
【００６５】
そして、高反発性薄板材として、４つの押圧部１１ａと連結杆部１１ｂとから形成したクロスプレート１１を採用したが、高反発性薄板材としてはこの構成に限るものではない。
【００６６】
また、連結杆部１１ｂの形状は十字形状に限るものではなく、４つの押圧部１１ａを連結する構成であれば、如何なる形状であってもよい。
【００６７】
上述の実施形態では、ミッドソール１Ｂに貫通孔１０を形成し、アウトソール１Ａと弾性蓋部材１４とで封塞して中空部１３を形成していたが、貫通孔１０及び中空部１３は形成しなくてもよい。
【００６８】
また、クロスプレート１１を透視可能な第１透過窓６も形成しなくてもよい。
【００６９】
上述の実施形態では，前側スタッド２ｒｆに対応する前側弾性体３Ａの硬度をＡ４５（ＪＩＳＫ６２５３規格・デュロメータタイプＡ）、後側スタッド２ｒｒに対応する後側弾性体３Ｂの硬度をＡ３５（ＪＩＳＫ６２５３規格・デュロメータタイプＡ）に設定してあるが、硬度の数値はこれに限るものではなく、前側弾性体３Ａの硬度が後側弾性体３Ｂの硬度よりも高硬度であればよい。
【００７０】
また、同様に、アウトソール１Ａ、ミッドソール１Ｂ、クロスプレート１１、並びに、弾性蓋部材１４の硬度も任意の硬度であってよい。
【００７１】
そして、弾性体３はＴＰＲから成形されていたが、合成樹脂から成形され、衝撃緩衝性及び反発性を備えたものであれば、これに限るものではない。
【００７２】
また、アウトソール１Ａ、ミッドソール１Ｂ、アッパーＵ、フィラー１Ｄ、インナーソール１Ｅ、クロスプレート１１、並びに、弾性蓋部材１４の材料は、ＴＰＵやＥＶＡ、ＴＰＲ、天然皮革、人工皮革、不織布等如何なるものであってよい。
【図面の簡単な説明】
【００７３】
【図１】本発明のスパイクシューズの実施形態を示す全体斜視図
【図２】スパイクシューズの全体底面図
【図３】スパイクシューズの全体側面図
【図４】（イ）アウトソールとミッドソールとを積層させた状態の踵部分における平面視図          （ロ）アウトソールとミッドソールとを積層させた状態の踵部分における平面視断面図
【図５】図２のＶ−Ｖ線断面図
【図６】図２のＶＩ−ＶＩ線断面図
【図７】図２のＶＩＩ−ＶＩＩ線断面図
【図８】スパイクシューズの分解斜視図
【図９】ローリング運動を示す図
【符号の説明】
【００７４】
１          靴底
１Ａ        表底体
１Ｂ        中間層体
１Ｃ        中間層体
２          スタッド
２ｒ        踵部分のスタッド（後部スタッド）
３          弾性体
３ａ        弾性体の内側縁部
３ｂ        弾性体の外側縁部
３ｄ        凹部
４          すり鉢状凹部
５          波状周縁部
５ａ        山形部分
６          窓
７          窓
８          係合部
９          嵌装孔
１０        貫通孔
１１        高反発性薄板材
１１ａ      押圧部
１１ｂ      連結杆部
１３        中空部
１４        弾性蓋部材
【図１】
2006025990.tif 000003
【図２】
2006025990.tif 000004
【図３】
2006025990.tif 000005
【図４】
2006025990.tif 000006
【図５】
2006025990.tif 000007
【図６】
2006025990.tif 000008
【図７】
2006025990.tif 000009
【図８】
2006025990.tif 000010
【図９】
2006025990.tif 000011